(57)【要約】【課題】より詳細な情報を簡易且つ直感的に表示させることが可能なプログラム等を提供する。【解決手段】ディスプレイ２に表示された地図の縮尺を大きくする指示を受け付けると、前記地図を拡大して表示させるようにＣＰＵ３を機能させる場合に、所定の縮尺より大きくする指示を受け付けると、当該地図上の施設の施設内画像を、当該地図と共にディスプレイ２に表示させる。このとき、施設内画像が休憩施設画像を含み、施設内画像の休憩施設が存在する位置に休憩施設画像を表示させる。【選択図】図２
2019179240.tif 000002
【特許請求の範囲】
【請求項１】
画像を表示する表示手段と、操作を受け付ける受付手段と、を備える画像表示装置のコンピュータにより実行されるプログラムであって、
前記表示手段に予め設定された縮尺にて地図画像を表示する際に、前記地図画像内の施設のうちの施設内部画像が関連付けられた対象施設を識別可能とする情報を、前記地図画像が示す地図上の当該対象施設の位置に対応させて表示させ、
前記表示手段に前記情報が表示された状態で、当該対象施設に対応する施設内部画像を表示させるための操作が前記受付手段によって受け付けられた場合に、前記対象施設に対応する施設内部画像を表示させるように、前記コンピュータを機能させることを特徴とするプログラム。
【請求項２】
請求項１に記載のプログラムにおいて、
前記地図画像に重畳してオブジェクトを前記表示手段に表示させ、
前記オブジェクトと前記対象施設とが重なったとき、当該対象施設に対応する施設内部画像を表示させるための操作が前記受付手段によって受付可能となるように、前記コンピュータを機能させることを特徴とするプログラム。
【請求項３】
請求項１又は請求項２に記載のプログラムにおいて、
前記施設内部画像は、フロアマップであることを特徴とするプログラム。
【請求項４】
請求項１から請求項３のいずれか一項に記載のプログラムにおいて、
前記地図画像の縮尺を拡大又は縮小することによって予め設定された縮尺にて前記地図画像を表示する際に、前記地図画像内の施設のうちの施設内部画像が関連付けられた対象施設を識別可能とする情報を、前記地図画像が示す地図上の当該対象施設の位置に対応させて前記表示手段に表示させるように、前記コンピュータを機能させることを特徴とするプログラム。
【請求項５】
請求項１から請求項４のいずれか一項に記載のプログラムにおいて、
前記地図画像の縮尺を拡大することによって予め設定された縮尺にて前記地図画像を表示する際に、前記地図画像内の施設のうちの施設内部画像が関連付けられた対象施設を識別可能とする情報を、前記地図画像が示す地図上の当該対象施設の位置に対応させて前記表示手段に表示させるように、前記コンピュータを機能させることを特徴とするプログラム。
【請求項６】
画像を表示する表示手段と、操作を受け付ける受付手段と、を備える画像表示装置において、
前記表示手段に予め設定された縮尺にて地図画像を表示する際に、前記地図画像内の施設のうちの施設内部画像が関連付けられた対象施設を識別可能とする情報を、前記地図画像が示す地図上の当該対象施設の位置に対応させて表示させ、
前記表示手段に前記情報が表示された状態で、当該対象施設に対応する施設内部画像を表示させるための操作が前記受付手段によって受け付けられた場合に、前記対象施設に対応する施設内部画像を表示させることを特徴とする画像表示装置。
【請求項７】
画像を表示する表示手段と、操作を受け付ける受付手段と、を備える画像表示装置において実行される画像表示方法において、
前記表示手段に予め設定された縮尺にて地図画像を表示する際に、前記地図画像内の施設のうちの施設内部画像が関連付けられた対象施設を識別可能とする情報を、前記地図画像が示す地図上の当該対象施設の位置に対応させて表示させるステップと、
前記表示手段に前記情報が表示された状態で、当該対象施設に対応する施設内部画像を表示させるための操作が前記受付手段によって受け付けられた場合に、前記対象施設に対応する施設内部画像を表示させるステップと、
を含むことを特徴とする画像表示方法。
【発明の詳細な説明】
【技術分野】
【０００１】
本願は、プログラム、画像表示装置及び画像表示方法の技術分野に属する。より詳細には、種々の情報を表示させるプログラム及び画像表示装置並びに画像表示方法の技術分野に属する。
【背景技術】
【０００２】
近年、いわゆるスマートフォンに代表される携帯型の端末装置等においては、その軽便性から、液晶パネル等の表示部の表面に設置されたタッチパネルを用いて当該端末装置等の操作をすることが広く行われている。このような従来技術の一例としては、例えば下記特許文献１に開示されている技術がある。
【０００３】
この特許文献１に記載されている技術では、表示部に表示されている地図を拡大又は縮小する場合に、地図データを表示している表示部に対して人の手の接近が検知されたとき、表示されている地図データとは異なる縮尺の地図データを取得し、表示部の表面に配置されたタッチパネルに手が接触したことを検出した時点で、当該取得した縮尺の地図データに相当する地図を表示することとされている。
【先行技術文献】
【特許文献】
【０００４】
【特許文献１】特開２０１１−１１８００７号公報
【発明の概要】
【発明が解決しようとする課題】
【０００５】
しかしながら上記特許文献１に開示された技術では、取得した縮尺の地図データに相当する地図を元の地図と入れ換えて表示することになり、結果として、拡大又は縮小した後の地図が直前の縮尺から拡大したものなのか、或いは縮小したものなのかを、拡大又は縮小した後の状態からはユーザが容易に認識することができない。よってこの場合には、ユーザが所望の縮尺の地図が表示されるまで、例えば拡大→縮小→拡大のように複数回の操作を繰り返さなければならない場合があり、不便であるという問題点があった。
【０００６】
また、上記特許文献１に開示された技術では、変更後の縮尺の地図データに対応する地図が表示されるのみであり、それ以上の詳細な情報等を表示することは考慮されていない。
【０００７】
そこで本願は、上記の各問題点に鑑みて為されたもので、その課題の一例は、より詳細な情報を簡易且つ直感的に表示させることが可能なプログラム及び画像表示装置並びに画像表示方法を提供することにある。
【課題を解決するための手段】
【０００８】
上記の課題を解決するために、請求項１に記載の発明は、画像を表示する表示手段と、操作を受け付ける受付手段と、を備える画像表示装置のコンピュータにより実行されるプログラムであって、前記表示手段に予め設定された縮尺にて地図画像を表示する際に、前記地図画像内の施設のうちの施設内部画像が関連付けられた対象施設を識別可能とする情報を、前記地図画像が示す地図上の当該対象施設の位置に対応させて表示させ、前記表示手段に前記情報が表示された状態で、当該対象施設に対応する施設内部画像を表示させるための操作が前記受付手段によって受け付けられた場合に、前記対象施設に対応する施設内部画像を表示させるように、前記コンピュータを機能させるように構成される。
【０００９】
上記の課題を解決するために、請求項６に記載の発明は、画像を表示する表示手段と、操作を受け付ける受付手段と、を備える画像表示装置において、前記表示手段に予め設定された縮尺にて地図画像を表示する際に、前記地図画像内の施設のうちの施設内部画像が関連付けられた対象施設を識別可能とする情報を、前記地図画像が示す地図上の当該対象施設の位置に対応させて表示させ、前記表示手段に前記情報が表示された状態で、当該対象施設に対応する施設内部画像を表示させるための操作が前記受付手段によって受け付けられた場合に、前記対象施設に対応する施設内部画像を表示させるように構成される。
【００１０】
上記の課題を解決するために、請求項７に記載の発明は、画像を表示する表示手段と、操作を受け付ける受付手段と、を備える画像表示装置において実行される画像表示方法において、前記表示手段に予め設定された縮尺にて地図画像を表示する際に、前記地図画像内の施設のうちの施設内部画像が関連付けられた対象施設を識別可能とする情報を、前記地図画像が示す地図上の当該対象施設の位置に対応させて表示させるステップと、前記表示手段に前記情報が表示された状態で、当該対象施設に対応する施設内部画像を表示させるための操作が前記受付手段によって受け付けられた場合に、前記対象施設に対応する施設内部画像を表示させるステップと、を含む。
【図面の簡単な説明】
【００１１】
【図１】実施形態に係る画像表示装置の概要構成を示すブロック図である。
【図２】実施例に係るスマートフォンを含む画像表示システムの概要構成を示すブロック図等であり、（ａ）は当該ブロック図であり、（ｂ）は実施例に係るスマートフォンに記憶されている地図データの内容を例示する図である。
【図３】実施例に係る画像表示処理を示すフローチャートである。
【図４】実施例に係る画像表示例を示す図（１）であり、（ａ）は第１例を示す図であり、（ｂ）は第２例を示す図である。
【図５】実施例に係る画像表示例を示す図（２）であり、（ａ）は第３例を示す図であり、（ｂ）は第４例を示す図である。
【図６】実施例に係る画像表示例を示す図（３）であり、（ａ）は第５例を示す図であり、（ｂ）は第６例を示す図である。
【図７】実施例に係る画像表示例を示す図（４）であり、（ａ）は第７例を示す図であり、（ｂ）は第８例を示す図である。
【発明を実施するための形態】
【００１２】
次に、本願を実施するための形態について、図１を用いて説明する。
【００１３】
図１に示すように、実施形態に係る画像表示装置Ｓは、画像を表示する画像表示装置Ｓであり、操作手段１と、表示手段２と、判断手段３と、表示制御手段４と、を備えて構成されている。このとき操作手段１は、例えばタッチパネル或いは所定の操作ボタン等により構成されている。また表示手段２は、例えばディスプレイ等からなる。
【００１４】
この構成において表示手段２は、オブジェクトを上記画像に重畳して表示させる。
【００１５】
一方操作手段１は、表示されているオブジェクトを、ユーザの操作によって画像に重畳させつつ移動させる。
【００１６】
そして判断手段３は、操作によって移動されたオブジェクトが、表示された画像上における予め設定された所定位置にあるか否かを判断する。
【００１７】
これにより表示制御手段４は、所定位置にあると判断されたオブジェクトを拡大表示すると共に、当該所定位置における画像よりも詳細な詳細情報を、当該拡大表示されたオブジェクトを利用して表示させる。
【００１８】
以上説明したように、実施形態に係る画像表示装置Ｓの動作によれば、画像上における所定位置までユーザの操作によって移動されたと判断されたオブジェクトを拡大表示すると共に、当該所定位置における画像よりも詳細な情報を、拡大表示されたオブジェクトを利用して表示させるので、より詳細な情報を簡易且つ直感的に表示させることができる。
【実施例】
【００１９】
次に、上述した実施形態に対応する具体的な実施例について、図２乃至図７を用いて説明する。なお以下に説明する実施例は、いわゆるスマートフォンを含む画像表示システムに含まれる当該スマートフォンにおける画面表示の制御に対して実施形態を適用した場合の実施例である。
【００２０】
また、図２は実施例に係る画像表示システムの概要構成を示すブロック図等であり、図３は実施例に係る画像表示処理を示すフローチャートである。また図４乃至図７は、実施例に係る画像表示例をそれぞれ示す図である。このとき図２では、図１に示した実施形態に係る画像表示装置Ｓにおける各構成部材に対応する実施例の構成部材それぞれについて、当該画像表示装置Ｓにおける各構成部材と同一の部材番号を用いている。
【００２１】
図２（ａ）に示すように、実施例に係る画像表示システムＧＳは、サーバＳＶと、複数のスマートフォンＴ１、スマートフォンＴ２、…、スマートフォンＴｎと、サーバＳＶと各端末装置Ｔとを接続して情報の授受を行うための通信回線ＮＷと、により構成されている。なお以下の説明において、スマートフォンＴ１、スマートフォンＴ２、…、スマートフォンＴｎについて共通的に説明する場合は、単に「スマートフォンＴ」と称する。
【００２２】
このときサーバＳＶは、インターフェース１０と、ＣＰＵ、ＲＡＭ（Random Access Memory）及びＲＯＭ（Read Only Memory）等を含む処理部１１と、ＨＤＤ（Hard Disc Drive）又は不揮発性のメモリ等からなる記憶部１２と、により構成されている。このとき記憶部１２には、実施例に係る各スマートフォンＴに対して通信回線ＮＷを介して配信される施設データＤが不揮発性に記憶されている。この施設データＤとしては、図２（ａ）に例示するように、施設名称に対応付けられて、その施設名称を有する施設の各階の簡略化された平面図であるフロア画像データからなる施設フロアデータと、当該施設の地図上の位置を例えば緯度／経度又は例えば所定の座標軸上の座標により示す施設位置データと、当該施設の各階に設置されている休憩施設の位置を例えば所定の座標軸上の座標により示す休憩施設位置データと、が蓄積されている。なおこの場合の休憩施設とは、例えば、休憩用の椅子、又はトイレを除く休憩室等が該当する。そしてこれら施設データＤは、各スマートフォンＴからの要求情報に応じて当該スマートフォンＴに配信される。
【００２３】
これに対して、各スマートフォンＴはそれぞれ、インターフェース６と、実施形態に係る操作手段１の一例としてのタッチパネル及び操作ボタン等を含む操作部１と、実施形態に係る表示手段２の一例としてのディスプレイ２と、実施形態に係る判断手段３の一例及び表示制御手段４の一例としてのＣＰＵ３と、地図記憶部５と、により構成されている。このとき操作部１を構成するタッチパネルはディスプレイ２の表面に配置されている。また図２（ａ）において破線で示すように、操作部１、ディスプレイ２及びＣＰＵ３により、実施形態に係る画像表示装置Ｓに相当する実施例が構成される。
【００２４】
図２（ａ）に示す構成においてサーバＳＶのインターフェース１０は、処理部１１の制御の下、通信回線ＮＷを介した各スマートフォンＴとの間における情報の入出力制御処理等を実行する。
【００２５】
次に処理部１１は、各スマートフォンＴからの上記要求情報により要求されている施設に対応するフロア画像データや休憩施設位置データ等を記憶部１２の施設データＤの中から抽出する。その後処理部１１は、当該抽出したデータをインターフェース１０及び通信回線ＮＷを介して、上記要求情報を送信してきたスマートフォンＴに送信する。
【００２６】
一方各スマートフォンＴのインターフェース６は、ＣＰＵ３の制御の下、通信回線ＮＷを介したサーバＳＶとの間における情報の入出力制御処理等を実行する。また操作部１を構成する上記タッチパネルは、スマートフォンＴのユーザが指等により触れることにより、当該触れた位置を示す位置情報等をＣＰＵ３に出力する。これによりＣＰＵ３は、実施例に係る画像表示処理として、地図記憶部５に後述する地図データを用いて、操作部１における操作（上記タッチパネルを用いたドラッグ操作等を含む）に対応した地図や施設図等をディスプレイ２上に表示する。この実施例に係る画像表示処理については、後ほど図３乃至図７等を用いて詳説する。
【００２７】
ここで、地図記憶部５に記憶されている地図データについて、図２（ｂ）を用いてそのデータ構造等を説明する。
【００２８】
図２（ｂ）に例示するように、実施例に係る地図データは、既定の縮尺毎且つ地域的又は領域的な所定区分（いわゆるメッシュ）毎の道路データ、背景データ及び地名等の名称データ等から構成されている。また地図記憶部５に記憶されている実施例に係る施設のフロア画像データ等は、当該施設を示す施設名称データ又は当該施設の位置を示す施設位置データをリンク（紐付け）として、例えばサーバＳＶの地図データＤ内から抽出されて取得されたデータである。このとき、一つの施設に複数のフロア（階）が存在する場合には、当該階毎の複数の施設フロアデータとしてのフロア画像データが、いわゆるレコードとして地図記憶部５内にそれぞれ記憶されている。この施設フロアデータ内には、上記休憩施設を示す休憩施設位置データ及び当該休憩施設を示す画像データが含まれている。
【００２９】
次に、ＣＰＵ３を中心として各スマートフォンＴにおいて実行される実施例に係る画像表示処理について、具体的に図３乃至図７を用いて説明する。
【００３０】
対応するフローチャートを図３に示すように、実施例に係るスマートフォンＴのＣＰＵ３は、実施例に係る画像表示処理が開始されると先ず、実施例に係るルーペモードを示す操作が例えば操作部１においてユーザによりなされたか否かを監視する（ステップＳ１）。ここで実施例に係る「ルーペモード」とは、その時点でディスプレイ２に表示されている地図上の施設の詳細情報をその地図に重畳して表示するモードである。また、上記ステップＳ１の監視における「ルーペモードを示す操作」とは、図４（ａ）に例示するように、ディスプレイ２上に地図ＭＰと、地図ＭＰの拡大又は縮小を指Ｆにより操作するための拡大／縮小キーＭＧと、が表示されている場合においては、当該拡大／縮小キーＭＧを用いて予め設定された縮尺の地図ＭＰが表示されたとき、その縮尺の指定をもってルーペモードに移行すべき操作がなされたと認識するのが好適である。ステップＳ１の監視においてルーペモードを示す操作がなされない場合（ステップＳ１；ＮＯ）、ＣＰＵ３は、その時点でなされている操作に対応する所定の処理を実行して（ステップＳ１５）、実施例に係る画像表示処理を終了する。
【００３１】
一方ステップＳ１の監視において、ルーペモードを示す操作がなされた場合（ステップＳ１；ＹＥＳ）、ＣＰＵ３は次に、ディスプレイ２上の表示をルーペモードの表示に切り換える（ステップＳ２）。このステップＳ２の処理として具体的には、図４（ａ）に例示するように、ディスプレイ２上に地図ＭＰが表示されている場合においては、ルーペモードに移行したことを示すルーペマークＬＭをディスプレイ２の一隅に表示すると共に、地図ＭＰ内に表示されている施設のうち、その詳細情報（例えば上記施設フロアデータ等）が存在する施設を示す位置マークＭを表示する。なお図４乃至図７においては、位置マークＭが「＊」で例示されている。この位置マークＭが表示されている施設については、上記施設フロアデータ等が地図記憶部５内に既に記憶されている場合はそれを用いて後述するフロアマップ等が表示される。一方、上記施設フロアデータ等が地図記憶部５に記憶されていない場合、ＣＰＵ３は、所定のタイミングでサーバＳＶに対して当該施設フロアデータ等を要求する旨の上記要求情報を送信する。これによりＣＰＵ３は、当該要求情報に対応して施設フロアデータ等がサーバＳＶから送信されてきたら、インターフェース６を介してこれを受信して地図記憶部５に記憶させた上で、上記フロアマップ等の表示に用いる。
【００３２】
ステップＳ２の処理によりルーペモードの表示に切り換えられたら（図４（ａ）参照）、次にＣＰＵ３は、表示されているルーペマークＬＭに対して図４（ｂ）に例示するようにユーザの指Ｆによりタップ操作（即ち、ルーペマークＬＭの選択操作）がなされたか否かを監視する（ステップＳ３）。ステップＳ３の監視においてルーペマークＬＭに対してタップ操作がなされない場合（ステップＳ３；ＮＯ）、ＣＰＵ３は所定の表示等によりルーペモードを継続するか否かをユーザに確認する（ステップＳ４）。ステップＳ４の確認においてルーペモードを継続する旨の操作が例えば操作部１においてユーザによりなされた場合（ステップＳ４；ＹＥＳ）、ＣＰＵ３は上記ステップＳ２に戻ってルーペモードの表示を継続する。一方ステップＳ４の監視において、ルーペモードを継続しない旨の操作がなされた場合（ステップＳ４；ＮＯ）、ＣＰＵ３は上記ステップＳ１５の処理に移行する。
【００３３】
他方、ステップＳ３の監視においてルーペマークＬＭに対するタップ操作がなされた場合（ステップＳ３；ＹＥＳ）、ＣＰＵ３は次に、図４（ｂ）に例示するように地図ＭＰの中心にルーペシンボルＬＳを表示する（ステップＳ５）。このルーペシンボルＬＳは、当該ルーペシンボルＬＳに対して例えばユーザの指Ｆによりドラッグ操作（即ち、ルーペシンボルＬＳの移動操作）がなされることで、詳細情報を表示する施設をタッチパネル上において選択する際に用いられるシンボル（オブジェクト）である。このルーペシンボルＬＳが本願に係る「オブジェクト」の一例に相当する。またこのときＣＰＵ３は、ディスプレイ２の地図ＭＰが表示されている領域外の位置に、図４（ｂ）に例示するようなゴミ箱シンボルＤＢを表示する。このゴミ箱シンボルＤＢは、実施例に係るルーペモードを終了させる際に、ルーペシンボルＬＳがゴミ箱シンボルＤＢの位置まで例えばドラッグ操作により移動されることで、ルーペモードを終了させることをユーザが指定するためのシンボルである。
【００３４】
ルーペシンボルＬＳ及びゴミ箱シンボルＤＢが表示されたら、ＣＰＵ３は次に、図５（ａ）に例示するように、ユーザの指ＦによるルーペシンボルＬＳに対するドラッグ操作により、当該ルーペシンボルＬＳが位置マークＭのいずれかが表示されている位置まで移動されたか否かを監視する（ステップＳ６）。ステップＳ６の監視においてルーペシンボルＬＳに対してドラッグ操作がなされない場合（ステップＳ６；ＮＯ）、ＣＰＵ３は引き続きルーペシンボルＬＳの表示を継続する。
【００３５】
なおこのとき、ルーペシンボルＬＳの表示を継続することが、例えば他の操作等の邪魔になるといった事情がある場合、ＣＰＵ３は例えば、予め設定された所定時間はルーペシンボルＬＳの表示を継続し、当該所定時間が経過してもルーペシンボルＬＳに対するドラッグ操作がなされない場合に、実施例に係るルーペモードを終了するように構成してもよい。
【００３６】
一方、ステップＳ６の監視においてルーペシンボルＬＳに対してドラッグ操作がなされた場合（ステップＳ６；ＹＥＳ）、ＣＰＵ３は次に、当該ドラック操作の終了時におけるルーペシンボルＬＳの位置を確認する（ステップＳ７）。そしてＣＰＵ３は、当該確認した位置がいずれかの位置マークＭが表示されている位置か否かを判定する（ステップＳ８）。ステップＳ８の判定において、いずれかの位置マークＭの位置までルーペシンボルＬＳがドラッグ操作された場合（ステップＳ８；ＹＥＳ）、ＣＰＵ３は次に、図５（ａ）に例示するように、ルーペシンボルＬＳに対してその位置で例えばユーザの指Ｆによりタップ操作がなされたか否かを監視する（ステップＳ９）。ステップＳ９の判定において当該タップ操作がなされない場合（ステップＳ９；ＮＯ）、ＣＰＵ３は上記ステップＳ８の判定に戻る。一方ステップＳ９の判定において当該タップ操作がなされた場合（ステップＳ９；ＹＥＳ）、ＣＰＵ３は、その時のルーペシンボルＬＳの位置に対応する位置マークＭにより示される施設の詳細情報を、図５（ｂ）に例示するように地図ＭＰに重畳して表示する（ステップＳ１０）。図５（ｂ）に例示する場合は、ルーペシンボルＬＳの位置に対応する位置マークＭにより示される施設が「〇〇ビル」であり、その施設のある階のフロアマップＦＭが上記施設フロアデータを地図記憶部５から読み出して表示されている。なお図５（ｂ）に例示するように、他の階のフロアマップＦＭを表示させる際にタップ操作される矢印シンボルＡ１及び矢印シンボルＡ２をフロアマップＦＭに隣接させて表示し、これらのいずれかに対してユーザによるタップ操作がなされることにより、タップ操作に対応した他の階のフロアマップＦＭに表示を切り替えるように構成するのが好ましい。また図５（ｂ）に例示するフロアマップＦＭにおいては、上記休憩施設位置データにより示される例えば休憩用の椅子等の位置に、黒色長方形表示により椅子等の休憩施設が表示されている。またこの場合には、フロアマップＦＭと地図ＭＰの境界部分に、図５（ｂ）に例示するようなルーペ様の枠Ｗを併せて表示するように構成するのが好適である。
【００３７】
そしてフロアマップＦＭを用いた詳細情報の表示中においては、図６（ａ）に例示するようにＣＰＵ３は、当該フロアマップＦＭに係る拡大表示内のいずれかの位置に対して例えばユーザの指Ｆによりタップ操作がなされたか否かを監視している（ステップＳ１１）。ステップＳ１１の判定において当該タップ操作がなされない場合（ステップＳ１１；ＮＯ）、ＣＰＵ３は上記ステップＳ１０の判定に戻る。一方ステップＳ１１の判定において当該タップ操作がなされた場合（ステップＳ１１；ＹＥＳ）、ＣＰＵ３は、その時に表示されていたフロアマップＦＭを消去することにより詳細情報の表示を終了させる（ステップＳ１２）。その後ＣＰＵ３は、上記ステップＳ６の監視に移行する。
【００３８】
他方、ルーペシンボルＬＳに対するドラッグ操作が終了した位置がいずれの位置マークＭの位置でない場合（ステップＳ８；ＮＯ）、次にＣＰＵ３は、図６（ｂ）に例示するように、ルーペシンボルＬＳがゴミ箱シンボルＤＢの位置までドラック操作されたか否かを判定する（ステップＳ１３）。ステップＳ１３の判定においてゴミ箱シンボルＤＢの位置までドラッグ操作されていない場合（ステップＳ１３；ＮＯ）、ＣＰＵ３は上記ステップＳ６の監視に移行する。一方ステップＳ１３の判定において、ルーペシンボルＬＳが図６（ｂ）に例示するようにゴミ箱シンボルＤＢの位置までドラッグ操作されている場合（ステップＳ１３；ＹＥＳ）、ＣＰＵ３は、ルーペモードを終了させるべく当該ルーペシンボルＬＳ及びルーペマークＬＭをディスプレイ２上から消去し（ステップＳ１４）、その後実施例に係る画像表示処理を終了する。
【００３９】
以上それぞれ説明したように、実施例に係る画像表示処理によれば、地図ＭＰ上における位置マークＭの位置までユーザの操作によって移動されたと判断されたルーペシンボルＬＳを拡大表示すると共に、位置マークＭの位置における画像よりも詳細な情報を、ルーペシンボルＬＳを利用して（即ち、拡大表示されたルーペ様の枠Ｗと共に）表示させるので、より詳細な情報を簡易且つ直感的に表示させることができる。
【００４０】
また、ルーペシンボルＬＳがルーペ様の形状を有し（図４（ｂ）及び図５（ａ）参照）、フロアマップＦＭ等の詳細情報をルーペシンボルＬＳに対応した枠Ｗと共に表示するので、詳細情報が表示されていることを興味深く且つ効果的に演出することができる。なおこの場合のシンボルとしては、物を拡大して見る際に使用される道具を模したものであれば、ルーペシンボルＬＳの他、例えば双眼鏡を模した形状のシンボルであってもよい。
【００４１】
更に、フロアマップＦＭ等の詳細情報の内容を地図ＭＰに対応させて変更させるための操作が操作部１においてなされたとき（図５（ｂ）及び図６（ａ）参照）、当該操作に対応させて詳細情報の内容を変更して表示させるので、詳細情報をより利便性よく表示させることができる。
【００４２】
更に、地図ＭＰとして表示されている地域内に存在する施設の内部の詳細なフロアマップＦＭ等を詳細情報の画像として表示するので、簡易な操作で施設の内部の詳細を表示させることができる。このとき、フロアマップＦＭに対して椅子等の休憩施設の位置を併せて表示させることで（図５（ｂ）又は図６（ａ）参照）、よりユーザに親切な画像表示とすることができる。またこのとき、位置情報の取得が可能な端末装置を所持する人の位置を当該位置情報に基づいてフロアマップＦＭ内に重畳して表示することで、その階又はフロアにおける人の混雑状況をも、認識可能に表示するように構成することもできる。
【００４３】
なお、上述した実施例に係る画像表示処理では、地図ＭＰ内の施設の内部のフロアマップＦＭ等をルーペモードとして表示する構成としたが、これ以外に、地図ＭＰに対して拡大された地図をルーペモードとして表示するように構成してもよい。
【００４４】
即ちより具体的には、図７（ａ）に破線を用いて例示するように地図ＭＰを例えば四分割し、当該分割した四つの地域毎の中心に位置マークＭをそれぞれ表示させる。そして例えば、図７（ａ）に例示する左上の地域の中心に表示されている位置マークＭの位置までルーペシンボルＬＳを移動させてタップ操作することにより（図３ステップＳ５乃至ステップＳ９参照）、図７（ｂ）に例示するように、当該左上の地域の中心付近を拡大した拡大地図ＡＭを地図ＭＰの中心部分に表示するように構成してもよい（図３ステップＳ１０参照）。この場合にも図７（ｂ）に例示するように、拡大地図ＡＭと地図ＭＰの境界部分にルーペ様の枠Ｗを併せて表示するように構成するのが好適である。更に、図７に例示する場合において、拡大地図ＡＭを表示中において当該拡大地図ＡＭの範囲を移動させる例えばドラッグ操作や図示しない方向キーに対するタップ操作がなされたことを検出することで、当該拡大された縮尺のまま、枠Ｗ内において拡大地図ＡＭの表示範囲を他の地域に移動させるように構成するのが好適である。
【００４５】
以上説明した通り、図７に例示する拡大地図ＡＭの表示制御によれば、縮尺が拡大された拡大地図ＡＭが表示されるので、簡易な操作で縮尺が拡大された地図を表示させることができる。
【００４６】
また、拡大地図ＡＭに相当する地域を地図ＭＰに対応させて移動させるための操作が操作部１においてなされたとき、当該操作に対応させて拡大地図ＡＭに相当する地域を移動して表示させるので、拡大地図ＡＭの利便性を高めることができる。
【００４７】
更に上述した実施例では、元々表示されていた地図ＭＰについての詳細情報又は拡大地図ＡＭを表示する場合について説明したが、これ以外に例えば、元々拡大地図ＡＭが表示されており、これに対してより広い範囲の地図に表示を切り換える場合に本願を適用することも可能である。このように拡大地図ＡＭからより広い範囲の地図に表示を切り換える場合でも、実施例と同様に異なる詳細度の画像を表示することになる。
【００４８】
更にまた上述した実施例では、元々表示されていた地図ＭＰについての詳細情報又は拡大地図ＡＭを表示する場合について説明したが、これ以外に例えば、人の顔を表示しておき、その特定部位について拡大表示するような場合に本願を適用することも可能である。
【００４９】
更に上述した実施例に係る詳細情報を、画像としてではなく例えばテキスト情報として地図ＭＰに重ねて且つ地図ＭＰに対して識別可能に表示するように構成することもできる。
【００５０】
更にまた、上述した実施例では、スマートフォンを含む画像表示システムに対して実施形態を適用した場合について説明したが、この場合のスマートフォンは、例えば表示画面を有する携帯型無線電話機や、通話機能を有さない携帯可能な端末装置に置き換えることも可能である。即ち具体的には、上述した実施例を、例えばパーソナルコンピュータにおけるディスプレイにおける表示の制御や、タブレット端末における表示の制御等に適用することが可能である。またこの場合には、タッチパネルでのタップ操作やドラッグ操作に代えて、例えばマウスでのドラッグ操作やクリック操作を用いる場合にも実施例の適用が可能である。
【００５１】
更に、図３に示したフローチャートに相当するプログラムを、フレキシブルディスク又はハードディスク等の記録媒体に記録しておき、或いはインターネット等のネットワークを介して取得しておき、これを汎用のマイクロコンピュータ等に読み出して実行することにより、当該マイクロコンピュータ等を実施例に係るＣＰＵ３として機能させることも可能である。
【符号の説明】
【００５２】
１    操作手段（操作部）
２    表示手段（ディスプレイ）
３    判断手段（ＣＰＵ）
４    表示制御手段
５    地図記憶部
１１    処理部
１２    記憶部
Ｓ    画像表示装置
Ｔ１、Ｔ２、Ｔｎ    スマートフォン
ＳＶ    サーバ
ＧＳ    画像表示システム
Ｄ    施設データ
Ｆ    指
ＬＳ    ルーペシンボル
ＬＭ    ルーペマーク
Ｍ    位置マーク
ＭＰ    地図
ＭＧ    拡大／縮小キー
ＡＭ    拡大地図
ＤＢ    ゴミ箱シンボル
ＦＭ    フロアマップ
【図１】
2019179240.tif 000003
【図２】
2019179240.tif 000004
【図３】
2019179240.tif 000005
【図４】
2019179240.tif 000006
【図５】
2019179240.tif 000007
【図６】
2019179240.tif 000008
【図７】
2019179240.tif 000009